(57)【特許請求の範囲】
【請求項１】
一方の磁石Ｍ１と他方の磁石Ｍ２とが設けられ、これらの磁石の吸着により連結される紐体における、当該連結の解除を補助するための吸着磁石の解除補助方法であって、
連結解除の際に、当該磁石Ｍ１の磁力ｍ１および当該磁石Ｍ２の磁力ｍ２の何れよりも強力な磁力ｍ３をもった第三の磁石Ｍ３を吸着している磁石Ｍ１および磁石Ｍ２に接近もしくは接触させることにより連結解除を補助する
ことを特徴とする吸着磁石の解除補助方法。
【請求項２】
一方の磁石Ｍ１と他方の磁石Ｍ２とが設けられ、これらの磁石の吸着により連結される紐体における、当該連結の解除を補助するための吸着磁石の解除補助具であって、
連結解除の際に、当該磁石Ｍ１および当該磁石Ｍ２に接近もしくは接触させることのできる１個または複数個の第三の磁石Ｍ３を備え、
当該１個の磁石Ｍ３または複数個の磁石Ｍ３それぞれの磁力ｍ３は、当該磁石Ｍ１の磁力ｍ１および当該磁石Ｍ２の磁石ｍ２の何れよりも強力である
ことを特徴とする吸着磁石の解除補助具。
【請求項３】
前記１個の磁石Ｍ３または複数個の磁石Ｍ３それぞれは、少なくとも１本の固定軸に回転自在もしくは回転軸と一体回転自在に設けてある
ことを特徴とする請求項２記載の吸着磁石の解除補助具。
【請求項４】
前記磁石Ｍ３の一部又は全部は、開閉可能なシールドケースに収納してあり、
当該シールドケースは、開放により前記磁石Ｍ３を使用可能な状態まで露出可能に構成してある
ことを特徴とする請求項３記載の吸着磁石の解除補助具。
【請求項５】
前記紐体が装身具あるいは腰ベルトである
ことを特徴とする請求項２ないし４いずれか記載の解除補助具。
【発明の詳細な説明】
【技術分野】
【０００１】
本発明は、たとえば、ネックレスやブレスレットなどの装身具、腰ベルトその他の着脱ベルトのような紐体両端（一方の部材、他方の部材）に取り付け、紐体両端を連結する吸着磁石の解除補助方法および解除補助具に関する。
【背景技術】
【０００２】
特許文献１には、磁石連結具の一例として留め具構成体（以下、「第１の先行連結具」という）が開示されている。この一対の留め具構成体は、相互に磁着した際にそれぞれの留め具構成体に連結されたチェーンを緊張方向に引っ張って突軸部を中心軸として旋回させ、前記チェーンを同一直線上に揃えた際に、この直線に対して補角をなすように突出する離脱用アームをそれぞれに設けてある。ここで、この一対の離脱用アームを相互に押しつけて磁力に抗して留め具構成体を分離するようになっている。
【０００３】
特許文献２には、第一および第二からなる一対の留め具部品について一方に対し他方を相対的に回転させることにより取り外すように構成された留め具（以下、「第２の先行連結具」という）が開示されている。この回転操作に際し、第二留め具部品の吸着反発用磁石が第一留め具部品の接合部に対して磁力による吸着影響の少ない位置まで移動できるようになっている。
【先行技術文献】
【特許文献】
【０００４】
【特許文献１】特開２００３−３１４号公報（段落０００４、図１参照）
【特許文献２】特開２００２−２１９０１２号公報（段落０００７、０００８、図１参照）
【発明の概要】
【発明が解決しようとする課題】
【０００５】
先に示した第１の先行連結具および第２の先行連結具は、何れも磁石の磁力を利用して連結を行おうとするものである。一方、その連結解除においては、常に使用者の指先による操作が必要である。何を連結するかにもよるが、たとえば、アクセサリーの代表格であるネックレスの両端を連結する場合を考えてみよう。ネックレスに用いられる連結具はネックレスの本体以上に目立ってしまってはいけないので、なるべく小さく作られるのが通常である。それに加え、連結解除しようとする際の連結具は、使用者の首の後ろに位置する場合が多い。その場合の使用者は、連結具を見ることができないまま両手を首の後ろに回して連結解除しなければならない。一方、短いネックレスにあってはその連結具が顎のすぐ下に位置することもある。この連結具も使用者には見えない。小さいうえに見えない連結具の連結解除を指先で行うことは、老若男女を問わずとても面倒である。場合によっては他人に頼まなければ連結解除できないこともあり、これではアクセサリーを身につけること自体に煩雑さを感じてしまう。このような面倒さ煩雑さという欠点は、結果としてネックレスを着けるという楽しみを人々から奪うことに繋がる。本来、アクセサリーを身につけることにより綺麗でありたいという願望は老若男女を問わず誰もが潜在的もしくは顕在的に持っているものであるところ、その中でも特にお年寄りの女性にそのような願望を放棄させることは人間の尊厳にも関わるほど重大な問題である。本発明が解決しようとする課題は、上述した従来の連結具の欠点を解消するものであって、磁石連結の解除を極めて簡単にすることによって、磁石連結をより使い勝手のよいものにすることを目的とする。
【課題を解決するための手段】
【０００６】
上記目的を達成するために鋭意研究を重ねた発明者は、吸着している磁石Ｍ１と磁石Ｍ２を、これらに第三の磁石Ｍ３を近づけるだけで、磁石Ｍ１と磁石Ｍ２との間の吸着解除を補助可能であることを突き止めた。本発明はこの知見に基づくものである。その詳しい内容については項を改めて説明する。なお、いずれかの請求項に係る発明の構成を説明するにあたって行う用語の定義等は、その発明のカテゴリーの違いや記載順に関わらず、他の請求項に係る発明の構成にも適用されるものとする。
【０００７】（請求項１記載の発明の特徴）
請求項１記載の発明に係る吸着磁石の解除補助方法（以下、「請求項１の補助方法」という）は、一方の磁石Ｍ１と他方の磁石Ｍ２とが設けられ、これらの磁石の吸着により連結される紐体における、当該連結の解除を補助するための吸着磁石の解除補助方法である。請求項１の補助方法によれば、連結解除の際に、当該磁石Ｍ１の磁力ｍ１および当該磁石Ｍ２の磁力ｍ２の何れよりも強力な磁力ｍ３をもった第三の磁石Ｍ３を吸着している磁石Ｍ１および磁石Ｍ２に接近もしくは接触させて連結解除を補助することを特徴とする。磁石Ｍ１および磁石Ｍ２には、たとえば、吸着面に現れる極と当該吸着面と対向する開放端面に現れる極が相異なる厚み方向磁石、吸着面と開放端面の双方に２極ずつ現れる径方向磁石、さらに吸着面と開放端面の双方に２極ずつ異極が現れる両面４極磁石などがある。【０００８】
請求項１の補助方法によれば、磁石Ｍ１と磁石Ｍ２との間の吸着連結が両磁石に磁石Ｍ３を同時もしくは逐次接近もしくは接触させることによって、完全にもしくはより少ない力を加えるだけで解除される。解除補助が行われる理由・原理については、現在解明中であるが、磁石Ｍ１の磁力ｍ１と磁石Ｍ２の磁力ｍ２の大きさもしくはそれらの方向、または大きさと方向の両者が、磁石Ｍ３の磁力ｍ３の影響により何らかの変化が生じた結果と考えられる。この現象を利用すれば、磁石Ｍ１と磁石Ｍ２との間の吸着解除を、それを行うには大きな力を要する場合や物理的な理由で行えない場合において、磁石Ｍ３の利用によってより簡単に行うことができる。
【０００９】（請求項２記載の発明の特徴）
請求項２記載の発明に係る吸着磁石の解除補助具（以下、「請求項２の補助具」という）は、一方の磁石Ｍ１と他方の磁石Ｍ２とが設けられ、これらの磁石の吸着により連結される紐体における、当該連結の解除を補助するための吸着磁石の解除補助具である。請求項１の補助具によれば、連結解除の際に、当該磁石Ｍ１および当該磁石Ｍ２に接近もしくは接触させることのできる１個または複数個の第三の磁石Ｍ３を備え、当該１個の磁石Ｍ３または複数個の磁石Ｍ３それぞれの磁力ｍ３は、当該磁石Ｍ１の磁力ｍ１及び当該磁石Ｍ２の磁力ｍ２の何れよりも強力であることを特徴とする。【００１０】  請求項２の補助具によれば、ネックレスやブレスレットなどの装身具、腰ベルトその他の着脱ベルトのような紐体の連結に使用されている磁石Ｍ１と磁石Ｍ２との間の吸着連結が両磁石に磁石Ｍ３を接近もしくは接触させることによって、完全にもしくはより少ない力を加えるだけで解除される。解除補助が行われる理由・原理については、現在解明中であるが、磁石Ｍ１の磁力ｍ１と磁石Ｍ２の磁力ｍ２の大きさもしくはそれらの方向、または大きさと方向の両者が、磁石Ｍ３の磁力ｍ３の影響により何らかの変化が生じた結果と考えられる。この現象を利用すれば、磁石Ｍ１と磁石Ｍ２との間の吸着解除を、それを行うには大きな力を要する場合や物理的な理由で行えない場合において、磁石Ｍ３の利用によってより簡単に行うことができる。磁石Ｍ３は少なくとも１個あればよいが、複数あることにより磁石Ｍ１と磁石Ｍ２に対する磁石Ｍ３の接近もしくは接触をより行いやすくすることができる。すなわち、複数ある磁石Ｍ３のそれぞれが磁石Ｍ１および磁石Ｍ２に接近もしくは接触することができ、つまり、出会いの機会が増え、これによって使用者の操作の仕方の違いなどによる磁力ｍ３の作用のバラツキを補うことが可能になる。したがって、その分、解除補助具の使い勝手がよくなる。【００１１】（請求項３記載の発明の特徴）
請求項３記載の発明に係る吸着磁石の解除補助具（以下、「請求項３の補助具」という）は、請求項２の補助具であって、前記１個の磁石Ｍ３または複数個の磁石Ｍ３それぞれは、少なくとも１本の固定軸に回転自在もしくは回転軸と一体回転自在に設けてあることを特徴とする。つまり、少なくとも１個ある磁石Ｍ３は、それ自体は回転しない固定軸の回りを回転するように構成してもよいし、それ自体が回転する回転軸と一緒になって回転するように構成してもよい。さらに、固定軸であると回転軸＿であるとを問わず、１本であってもよいし２本以上であってもよい。なお、磁石Ｍ３各々の形状は問わないが、球形のほか、軸方向に長い楕円球形、円柱形、さらに多角柱形とすると回転させるのに都合よい。これらの形状をベースにして、磁石Ｍ１および磁石Ｍ２に対する接近もしくは接触に悪影響を与えない範囲でその表面に、たとえば樹脂製の滑り止め突起群（図示を省略）を形成してもよい。【００１２】
請求項３の補助具によれば、請求項２の補助具の作用効果に加え、磁石Ｍ３が回転することにより磁石Ｍ１および磁石Ｍ２に対向する磁石Ｍ３の極性を代わる代わる交代させることができる。極性の交代により、磁石Ｍ１およびＭ２に作用する磁力ｍ３の種類や方向に変化を持たせることになる。あくまでも実験の結果であるが、このことが、より確実な連結解除に大きく貢献する。
【００１３】
（請求項４記載の発明の特徴）
請求項４記載の発明に係る吸着磁石の解除補助具（以下、「請求項４の補助具」という）は、請求項３の補助具であって、前記磁石Ｍ３の一部又は全部は、開閉可能なシールドケースに収納してあり、当該シールドケースは、開放により前記磁石Ｍ３を使用可能な状態まで露出可能に構成してあることを特徴とする。
【００１４】
請求項４の補助具によれば、請求項３の補助具の作用効果に加え、シールドケースの働きにより磁石Ｍ３の磁力ｍ３が外部に与える影響を低減もしくは低滅することができる。たとえば、時計や心臓ペースメーカーなどの磁力の影響を受けやすいものに対し大きな効果が期待できる。
【００１５】（請求項５記載の発明の特徴）
請求項５記載の発明に係る吸着磁石の解除補助具（以下、「請求項５の補助具」という）は、請求項２ないし４いずれかの補助具であって、前記紐体が装身具あるいは腰ベルトであることを特徴とする。【００１６】
請求項５の補助具によれば、請求項２ないし４いずれかの補助具の作用効果が、装身具の連結解除の際に発揮される。たとえば、磁石連結されたネックレスがありその磁石が使用者の首の後ろにあるとして、使用者は解除補助具を首の後ろにある磁石に接近もしくは接触させてやるだけで、連結が解除され、もしくは連結が緩やかになって簡単に取り外すことができるようになる。
【発明の効果】
【００１７】
本発明によれば、磁石連結具の連結解除を簡単に行えるようになる。このため、磁石連結具の使い勝手をよくするとともに、その応用範囲を拡大することができる。
【図面の簡単な説明】
【００１８】
【図１】磁石連結の解除補助方法を示す概念図である。
【図２】磁石連結の解除補助方法を示す概念図である。
【図３】磁石連結の解除補助方法を示す概念図である。
【図４】第１の実施形態に係る解除補助具の使用状態を示す斜視図である。
【図５】第１の実施形態に係る解除補助具の背面斜視図である。
【図６】図５に示す解除補助部のＡ−Ａ断面の部分拡大図である。
【図７】図５に示す解除補助具の変形を示す部分平面図である。
【図８】図５に示す解除補助具の変形を示す部分平面図である。
【図９】第２の実施形態に係る解除補助具の正面図である。
【図１０】第３の実施形態に係る解除補助具の正面図である。
【図１１】第４の実施形態に係る解除補助具の斜視図である
【図１２】第５の実施形態に係る解除補助部の縦断面図である。
【発明を実施するための形態】
【００１９】
各図を参照しながら、発明を実施するための形態（以下、「本実施形態」という）について説明する。
【００２０】
（解除補助方法の概要）
図１に基づき、説明する。ここで示す磁石Ｍ１および磁石Ｍ２は、吸着面Ｍ１ａ，Ｍ２ａに現れる極と吸着面Ｍ１ａ，Ｍ２ａと対向する開放端面Ｍ１ｂ，Ｍ２ｂに現れる極が相異なる厚み方向磁石である。吸着している磁石Ｍ１と磁石Ｍ２に実線で示す解除用の磁石Ｍ３を２点鎖線で示すように接近もしくは接触させると、磁石Ｍ１と磁石Ｍ２との間の吸着がなくなり、もしくは弱くなって両磁石の解除が自発的に又は僅かな力を加えるだけで行われる。すなわち、磁石Ｍ３を近づけることにより、磁石Ｍ１と磁石Ｍ２との間の吸着連結の解除が補助されて簡単になる。磁石Ｍ１および磁石Ｍ２に接近もしくは接触させるときの磁石Ｍ３の近接面Ｍ３ａの極性は問わない。ここで、磁石Ｍ１と磁石Ｍ２が磁極の現れ方において後掲する磁石を含めどのようなタイプの磁石であろうと、磁石Ｍ３の磁力ｍ３が磁石Ｍ１の磁力ｍ１および当該磁石Ｍ２の磁力ｍ２の何れよりもが強力であることが必要である。
【００２１】
解除補助が行われる理由・原理については、現在解明中である。磁石Ｍ１の磁力ｍ１と磁石Ｍ２の磁力ｍ２の大きさもしくはそれらの方向、または大きさと方向の両者が、磁石Ｍ３の磁力ｍ３の影響により何らかの変化が生じた結果と考えられる。図１に２点鎖線で示す磁石Ｍ１と磁石Ｍ２は、いずれも解除後の状態を示すが、これらは説明のための表現であって、必ずしも矢視する方向に移動するわけではない。磁石Ｍ３を接近もしくは接触させ方向や位置も、図１に示す方向もしくは位置に必ずしも限定されるものではない。磁石Ｍ３は単数でもよいし複数であってもよい（解除補助の理由・原理および磁石の移動方向および個数について、図２および３で同じ）。なお、ここで「接近」とは文字通り近づけることである。一方、「接触」には単なる接触や当接などに加え摺動（接触した状態での移動）も含まれる。コーティング材に被覆された磁石であるならそのコーティング材（図示を省略）や、磁力が透過する部材（たとえば、紙や合成樹脂フィルム）を介して磁石Ｍ３と磁石Ｍ１および磁石Ｍ２とが接していることも接触である。
【００２２】
図２に示す磁石Ｍ１と磁石Ｍ２は、いずれも吸着面Ｍ１ａ，Ｍ２ａと開放端面Ｍ１ｂ，Ｍ２ｂの双方に２極ずつ現れる両面４極磁石であって、互いに吸着し合っている。図１に示す磁石Ｍ３の場合と同様に、吸着し合っている磁石Ｍ１および磁石Ｍ２に磁石Ｍ３を近づけると、磁石Ｍ１と磁石Ｍ２との間の吸着連結の解除が補助されて簡単になる。
【００２３】
図３に示す磁石Ｍ１と磁石Ｍ２は、いずれも吸着面Ｍ１ａ，Ｍ２ａと開放端面Ｍ１ｂ，Ｍ２ｂの双方に２極ずつ異極が現れる径方向磁石である。これらの磁石も互いに吸着し合っている。図１および２に示す磁石Ｍ３の場合と同様に、吸着し合っている磁石Ｍ１および磁石Ｍ２に磁石Ｍ３を接近もしくは接触させると、磁石Ｍ１と磁石Ｍ２との間の吸着連結の解除が補助されて簡単になる。
【００２４】
なお、発明者らの実験によれば、上掲した厚み方向磁石、径方向磁石および両面４極磁石においては、磁石Ｍ１と磁石Ｍ２の双方もしくは何れか一方に現れたＮ極およびＳ極の双方に、磁石Ｍ３のＮ極もしくはＳ極を接近もしくは接触させた場合が、もっとも効率よく解除補助ができることが分かった。
【００２５】
さらに、解除補助のパターンとして、少なくとも次の３パターンを確認することができた。（１）吸着し合っている磁石Ｍ１と磁石Ｍ２のいずれか一方（たとえば、磁石Ｍ１）が、接近もしくは接触してきた磁石Ｍ３に吸着し、吸着しなかった他方（上記例で磁石Ｍ２）は磁石Ｍ３に反発して連結が解除される。（２）吸着し合っている磁石Ｍ１と磁石Ｍ２のいずれか一方（たとえば、磁石Ｍ１）が、接近もしくは接触してきた磁石Ｍ３に吸着し、吸着しなかった他方（上記例で磁石Ｍ２）と一方（上記例で磁石Ｍ１）との吸着力が弱められる。この場合において、一方が吸着している磁石Ｍ３もしくは他方を互いに離れる方向に移動させることにより連結が解除される。さらに（３）吸着し合っている磁石Ｍ１と磁石Ｍ２の吸着力が、接近もしくは接触してきた磁石Ｍ３の磁力によって弱められる。この場合において、両方の磁石が磁石Ｍ３に吸着もしくは引かれて連結が解除される。これらは、磁石Ｍ１および磁石Ｍ２に対し磁石Ｍ３を接近もしくは接触させる方向や磁石の種類や磁力の強さなどによって違ってくる。したがって、磁石Ｍ１および磁石Ｍ２の形態やそれを何のための磁石連結具として使用するのかなどを総合的に考え、解除しやすい接近もしくは接触の方向を選択することが好ましい。なお、磁石Ｍ３の磁力ｍ３は、磁石Ｍ１（磁石Ｍ２）の磁力ｍ１（磁力ｍ２）よりも強力である必要があることは既に述べたが、その強弱の差は使用場所や使用目的などに合わせて自由に設定して構わない。
【００２６】
（解除補助方法の適用例）
本発明に係る吸着磁石の解除補助方法は上掲した通りであるところ、これ以後はこの補助方法を具現化した吸着磁石の解除補助具について説明する。この解除補助方法には様々な用途が考えられるが、ここでは、装身具の代表例であるネックレスの連結解除に適用した場合について説明する。ネックレス以外の装身具には、たとえば、ブレスレットやアンクレットなどがある。
【００２７】
（第１の実施形態）
図４を参照しながら説明する。図４に示すネックレス１０１は、真珠を数珠つなぎしたネックレス本体１０３と、ネックレス本体１０３の両端を連結する磁石連結具１０５と、から構成されている。図４に示すネックレス本体１０３は、数珠つなぎした真珠から構成されているが、これ以外の、たとえば、チェーンその他の紐体にも適用することができる。磁石連結具１０５は、一方の連結片１０５ａと他方の連結片１０５ｂからなる。一方の連結片の内部には一方の磁石Ｍ１が、他方の連結片１０５ｂの内部には他方の磁石Ｍ２が、それぞれ内蔵されている。磁石連結具１０５はクラスプと呼ばれる。図４に示す磁石連結具１０５は、長手方向（図４の縦方向）に割れる全体卵形に形成されているが、これに限られない。たとえば、円柱状のものや直方体形状のもの、これらを組み合わせたもの、幾何学的形状以外のデザイン性の高い形状、さらにこれらの外面に凹凸を付けたものなど、多種多様の磁石連結具がある。また、両連結片１０５ａ，１０５ｂを構成する主素材にも何ら制限はない。合成樹脂の他、木材、金属など、また、これらの複合材であってもよい。金属の中でも磁気シールドに適するもの（強磁性体）や、それ以外のもの（非磁性体、常磁性体）など、ありとあらゆる素材を主素材として使用することができる。
【００２８】
磁石Ｍ１および磁石Ｍ２は、それらが内蔵される連結片１０５ａ，１０５ｂの形状や、吸着面の形状・位置などの制約の範囲内であれば、磁石の形状やタイプ（厚み方向、径方向、両面４極など）は自由に選択することができる。必要もしくは設ける方がよいと判断した時は、ヨークを併せて内蔵させたり、錆止めや衝撃緩和のために樹脂コーティングを施したりすることを妨げない。図４に示す磁石Ｍ１および磁石Ｍ２は、図３に示す径方向磁石が内蔵されているものとする。
【００２９】
図３乃至５に基づいて説明を続ける。符号１は解除補助具を示す。解除補助具１は、人が片手に握れる大きさの握り部３と、握り部３の一端側に一体形成された支持部５とから構成してある。解除補助具１全体は、磁力作用に不都合を及ぼさないように非磁性体（金属や合成樹脂など）で構成する。支持部５から見て反対側になる握り部３の他端側には膨らみ部７が、膨らみ部７と支持部５との間には膨らみ部７より細みのくびれ部９を形成してある。くびれ部９を設けたのは細みの部位を設けて握りやすくするため、膨らみ部７を設けたのは握った手から解除補助具１が抜け落ちづらくするためである。支持部５は、直方体類似の形状に形成してあり、その外径は握り部９のそれより大径に形成してある。後述する磁石Ｍ３を保持するために充分なスペースを確保するとともに、膨らみ部７と相まった抜け落ち防止のためである。
【００３０】
（支持部と磁石）
図５に示すように、支持部５のほぼ中央部には、同図において上から見たときに手前に開口する矩形の収納凹部１１が形成してある。収納凹部１１の大きさは後述する磁石Ｍ３，Ｍ３を、その一部を露出させた状態で収納できる大きさである。収納凹部１１を仕切る長手方向（解除補助具１の幅方向）両側の側壁部１１ｗ，１１ｗには、収納凹部１１を長手方向に横断する固定軸１３を回転不能に設けてある。固定軸１３には、球形に形成された磁石Ｍ３，Ｍ３を回転自在に取り付けてある。磁石Ｍ３，Ｍ３を球形に形成したのは、回転させやすく回転させても形状に変化が生じないからである。磁石Ｍ３、Ｍ３は、固定軸１３を含む面によってＮ極とＳ極が分かれるように設定することが好ましい。これにより、磁石Ｍ３，Ｍ３の回転により、Ｎ極とＳ極が交互に収納凹部１１から出てくるようになり、実験結果によれば、この回転によって解除効率を高めることができた。交互に出てくれば、磁石連結具１０５（図４参照）に対する磁力ｍ３（図３参照）に極変化と磁力変化を与え、これらの変化が、解除補助に適した状況との出会いの機会を増やし、増えることによって解除効率が高まるのではないかと考えられる。したがって、磁石Ｍ３，Ｍ３に現れるＮ極とＳ極とを固定軸１３を横切る面によって分かれるようにすることも可能ではあるが、上記理由により本実施形態に示すような分かれ方を選択すべきであろう。なお、固定軸１３は、必要な強度を備え磁石Ｍ３によって磁化されない非磁性体（硬質の合成樹脂や真鍮など）によって構成する。なお、磁石Ｍ３は、これを樹脂などでコーティングしておくことが好ましい。衝撃と錆などから磁石を保護するためである。
【００３１】  なお、上記効果は、１個の磁石Ｍ３でもある程度得られるが、その個数を２個以上とすることにより、より多くの出会いの機会を作りだすことができるのではあるが、解除補助具全体の大きさ、総重量さらにコストなどとのバランスを見ながら決定するとよい。図７には２本の固定軸１３に支持された４個の磁石Ｍ３を、図８には３本の固定軸１３に支持された６個の磁石Ｍ３を、それぞれ設けた状態を示してある。図示は省略するが、４個の磁石Ｍ３それぞれを１本ずつの固定軸で片持ち支持させてもよい。なお、図７に示す符号２１は、後述する本実施形態の作用効果の中で述べる磁石Ｍ３，Ｍ３の押し付けを均一化するための補助ローラーを示す。補助ローラー２１は、固定軸１３と平行に配したローラー固定軸２３に対して回転自在になっている。
【００３２】
一方、磁石Ｍ３の形状を球形以外の形状に形成することを妨げない。たとえば、円柱形としたり、直方体形状にしたりしてもよい。固定軸１３を解除補助具１の長手方向（図５に示す固定軸と直交する方向）に沿わせて設置してもよい。この場合は、解除補助具１をその幅方向に移動させることになる。また、磁石Ｍ３は、これを回転させない使用方法もあることは言うまでもない（図１乃至３参照）。なお、解除補助具１をマッサージ器、美容器具、まごの手などに流用することを妨げない。
【００３３】
（第１の実施形態の作用効果）
図４に示すように磁石連結具１０５を使用するときは、握り部３を片手で握り磁石Ｍ３，Ｍ３（図５、６参照）を適度な強さで首に押し当て磁石連結具１０５に目がけ双方向矢印が示す方向（解除補助具１の長手方向）に移動する。移動に伴い首から受ける摩擦抵抗によって磁石Ｍ３，Ｍ３は回転し（図５参照）、やがて磁石連結具１０５と出会い（接近もしくは接触）、上記した作用効果を生じさせる。解除補助具１の作用だけで連結解除できる場合もあるが、できなければ反対の手でネックレス本体１０３を引っ張れば簡単に連結解除することができる。移動させる速度や角度、さらに、各磁石の強さなどにもよるが、連結解除された磁石Ｍ１もしくはＭ２が磁石Ｍ３に吸着され、ネックレス１０１全体を解除補助具１でぶら下げ支持できる場合がある。これを意図的に行えば、ネックレス１０１を落下させずに済むので、たいへん便利である。
【００３４】
また、図３に示す磁石連結具１０５に対する特有の効果として、磁石Ｍ３と磁石Ｍ３の間の、いわゆるＶゾーンの中に卵に似た形状の磁石連結具１０５のアーチが入り込むようになり、その結果、入り込んだ分、磁石Ｍ１，Ｍ２と磁石Ｍ３との距離が縮まり、縮まったことにより磁力ｍ３の接近もしくは接触に伴う作用が磁石Ｍ１，Ｍ２に届きやすくなる。つまり、解除の補助効率を高くすることができる。
【００３５】
（第２の実施形態）
図９を参照しながら説明する。第２実施形態に係る解除補助具３１は、前掲した解除補助具１と同様に、非磁性体からなる握り部３３と支持部３５とを有している。握り部３３は円柱体によって構成してあり、その円柱体の開放端（図９の右端）には先細り円錐形状の突起部３４を形成してある。突起部３４は、これを指圧のための突起としても活用できる。一方、支持部３５も、磁石Ｍ３，・・に向かって僅かに先細る円錐形状に形成してある。支持部３５の頂点は扁平に形成してあり、その扁平頂点から長手方向に突き出す固定軸３７（非磁性体、点線で示す）を設けてある。固定軸３７には、少なくとも１個（ここでは、３個）の磁石Ｍ３を回転自在に固定してあり、この結果、使用時の解除補助具３１はその幅方向（双方向矢印の示す方向、図９の上下方向）に移動させるようになっている。
【００３６】
符号３９は、磁石Ｍ３，・・を被覆するためのシールドケースを示す。図９では、シールドケース３９のみ縦断面で示してある。シールドケース３９は、一方閉鎖他方開放の円筒状に形成してあり、開放側から磁石Ｍ３，・・を差し入れ開放端３９ａと支持部３５の嵌合によって使用していないときに支持部３５に仮固定可能、使用時に引っ張って嵌合を解くことにより取り外し可能、すなわち、開閉可能に構成してある。シールドケース３９を構成する素材は、磁石に吸着されるフェライト系のステンレス（ＳＵＳ４３０など）や鉄などの強磁性体によって構成する。シールドケース３９を設けたのは、使用していない磁石Ｍ３，・・の磁力をできるだけ外部に出さないようにするためである。
【００３７】
（第３の実施形態）
説明に使用する図は、図１０である。図１０では、図９と同様にシールドケースのみ縦断面で示してある。図１０（ａ）は閉鎖時の状態を、図１０（ｂ）は開放時の状態を、それぞれ示している。第３実施形態に係る解除補助具４１は、前掲した解除補助具３１と同様に握り部４３と支持部４５とを有している。握り部４３は、略円柱状に形成してあり、その開放端（図１０の右端）に支持部４５の外径よりも大径の滑り止め部４３ａを備えている。一方、支持部４５は、段部４３ｂを介して握り部４５の延長線上に設けてあり、握り部４５よりも僅かに小径で球形の磁石Ｍ３の外径と略同じの外径をもった円柱状に形成してある。支持部４５の長さ寸法は、図１０（ｂ）から理解されるように、シールドケース５１の全長よりも僅かに長く形成してある（理由は後述するシールドケースの説明参照）。支持部４５の頂点は扁平に形成してあり、その扁平頂点から長手方向に突き出す固定軸４７（非磁性体、点線で示す）を設けてある。固定軸４７には、少なくとも１個（ここでは、３個）の磁石Ｍ３を回転自在に固定してある（閉鎖ボール４９については次項で説明）。したがって、解除補助具３１と同様に使用時の解除補助具４１はその幅方向（双方向矢印の示す方向、図１０の上下方向）に移動させるようになっている。
【００３８】
閉鎖ボール４９は、磁石ではなく、金属（銅、真鍮、アルミニウム）や合成樹脂のような非磁性体によって構成した球状のボールである。閉鎖ボール４９は、磁石Ｍ３よりも僅かに大径に形成してあり、固定軸４７の最先端に、磁石Ｍ３，・・と同様に固定軸４７に対して回転自在に取り付けてある。閉鎖ボール４９は、後述するように、閉鎖時のシールドケース５１の抜け止めと、開放時の磁石Ｍ３の物理的被覆という機能を担っている。
【００３９】
符号５１は、磁石Ｍ３，・・を被覆するためのシールドケースを示す。シールドケース５１は、両端開放の円筒状に形成してあり、開放側から差し入れた閉鎖ボール４９と磁石Ｍ３，・・を被覆可能、換言すると磁石Ｍ３，・・に対して開閉可能に構成してある。このためシールドケース５１は、内径が小径の小径部５１ａと、小径部５１ａよりも内径が大径の大径部５１ｃと、小径部５１ａと大径部５１ｃの間にある内径段部５１ｂから構成してあり、かつ、支持部３５に対してその長手方向に往復スライド自在に構成してある。なお、シールドケース５１は、先に説明したシールドケース３９と同じく強磁性体によって構成してある。さらに、シールドケース５１の肉厚を均一にしたため、部位によって外径が異なることになったが、内径を上述したように構成するとともに部位に合わせて肉厚を調整し、これにより外径を一定にしてもよい。
【００４０】
小径部５１ａの内径は磁石Ｍ３の外径よりも僅かに大径だが閉鎖ボール４９の外径よりも僅かに小径であり、大径部５１ｃの内径は閉鎖ボール４９の外径よりも僅かに大径である。また、シールドケース５１の全長は、先に述べたように支持部４５の全長よりも僅かに短く形成してある。短く形成した理由は、開放時に磁石Ｍ３，・・の全部がシールドケース５１の外部に完全露出するようにするためである。この結果、シールドケース５１の全長を上記のとおり設定したことと相まって、図１０（ａ）に示す閉鎖時には内径段部５１ｂが閉鎖ボール４９に邪魔されてシールドケース５１の抜けが防止される一方、図１０（ｂ）に示す開放時には、小径部５１ａの開放端５１ｄが握り部３３の段部４３ｂに当接してそれ以上の移動が禁止されるようにしてある。なお、閉鎖時のシールドケース５１は、磁石Ｍ３の磁力により閉鎖状態に保持される。
【００４１】
一方、開放時のシールドケース５１には磁石Ｍ３の磁力が及ばないので、使用者が指などで押さえる方法もあるが、その代わりに、たとえば支持部４５との間に適度な摩擦が生じるように構成したり、両者間に摩擦係数の高い部材（図示を省略）を介在させたり、また、図１０（ｂ）に示す状態においてシールドケース５１を円周方向に回転させることにより長手方向移動を禁止する機構（図示を省略）を設けたりすることにより、支持部４５に対するシールドケース５１の仮固定を可能とすると便利である。解除補助具４１によれば、シールドケース５１が支持部４５に対してスライド可能に一体化されているので、不要時（解除補助具の使用時）において解除補助具４１とは別の管理を不要とする。使用者にとってたいへん便利である。
【００４２】
（第４の実施形態）
図１１に基づいて説明する。第４実施形態に係る解除補助具６１は、支持部７１とカバー部６３から構成してある。支持部７１は、ヨークでできた支持部本体７３と４個の磁石Ｍ３により概ね構成してある。支持部本体７３は、上から見たときに矩形の厚み開口の矩形枠体であって、その中央には厚み方向に貫通する矩形の収納凹部７５を備える。収納凹部７５内には、その対辺中央をつなぐ仕切板７７を設けてあり、これによって収納凹部７５は２つの部屋に分断されている。仕切板７７は、これを省略してもよい。各部屋の中には固定軸７９（非磁性体）が互いに平行となるように配してあり、各固定軸７９には２個ずつの磁石Ｍ３を軸に対して回転可能に設けてある。支持部本体７３の厚み寸法は、磁石Ｍ３の直径とほぼ同じ若しくはそれより僅かに大きく設定してある。
【００４３】
カバー部６３は、支持部本体７３同じくヨークにより構成してあり、矩形の上板６５ａと、収納空間Ｓを介して上板６５ａと対向する同じく矩形の下板６５ｂとを備え、支持柱６６と、ヒンジ部６７とによって向かい合う角部同士を連結してある。支持柱６６は固定であるが、ヒンジ部６７は、取付部材６８に対してカバー部６３を回動可能にする機能を有している。この回動により、支持部本体７３が収納空間Ｓに収納されたりカバー部６３外に出されたりする。つまり、支持部本体７３が開閉自在となっている。収納空間Ｓに収納された磁石Ｍ３は、支持部本体７３とカバー部６３（上板６５ａと下板６５ｂ）より六方が磁気シールドされ、外部に磁力線が出るのが防止される。支持部本体７３には、解除補助具６１を首やカバンから吊り下げるための紐体１１１を取り付けるための、たとえばバチカンのような取付部材６８を設けおくと携帯に便利である。
【００４４】
（第５の実施形態）
図１２を用いて説明する。第５実施形態に係る解除補助具８１は、図９に示す解除補助具３１の変形例である。両者間には固定軸と回転軸との違い、コーティングの有無の違いがあり、それら以外について両者間に大きな違いはない。よって、ここでは、重複を避けるために両者の違う部分に焦点を当てて説明する。
【００４５】
第５実施形態に係る解除補助具８１は、非磁性体からなる握り部８３と支持部８５とを有している。握り部８３および支持部８５の中心には、長さ方向全長に渡って断面円形の軸路８６が形成してある。軸路８６は、回転軸８７を回転自在に受け入れるための空洞である。回転軸８７の支持部８５から突き出した部位には、球形の磁石Ｍ３が複数個（ここでは３個、１個でもよい）回転不能に数珠つなぎ状態で固定してある。３個の磁石Ｍ３と回転軸８７の一部は、樹脂層８８によって一体コーティングしてある。回転軸８７の開放端側の一部表面には接着層８９を塗布形成してあり、この接着層８９と回転軸８７上の樹脂層８８は回転パイプ９１によって被覆してある。この構成により回転軸８７と回転パイプ９１とは一体化され、軸路８６内で握り部８３および支持部８５に対して長手方向に抜け出すことなく円周方向に回転自在となっている。３個の磁石Ｍ３は回転軸８７に対して回転不能であるから、磁石Ｍ３を回転させると回転軸８７（回転パイプ９１）も握り部８３および支持部８５に対して回転する。符号９３は、シールドケースを示す。シールドケース９３については、先に説明したシールドケース３９と異ならない。なお、図１０に示す解除補助具４１に、上述した解除補助具８１と同様の変更を加えることを妨げない。
【符号の説明】
【００４６】
１        解除補助具
３        握り部
５        支持部
７        膨らみ部
９        くびれ部
１１      収納凹部
１１ｗ    側壁部
１３      固定軸
２１      補助ローラー
２３      ローラー固定軸
３１      解除補助具
３３      握り部
３３ａ    滑り止め部
３５      支持部
３７      固定軸
３９      シールドケース
４１      解除補助具
４３      握り部
４５      支持部
４７      固定軸
４９      閉鎖ボール
５１      シールドケース
５１ａ    小径部
５１ｂ    内径段部
５１ｃ    大径部
６１      解除補助具
６３      カバー部（握り部）
６５ａ    上板
６５ｂ    下板
６６      支持柱
６７      ヒンジ部
６８      取付部材
７１      支持部
７３      支持部本体
７５      収納凹部
７７      仕切板
７９      固定軸
８１      解除補助具
８３      握り部
８５      支持部
８６      軸路
８７      回転軸
８８      樹脂層
８９      接着層
９１      回転パイプ
９３      シールドケース
１０１    ネックレス
１０３    ネックレス本体
１０５    磁石連結具
１０５ａ  一方の連結片
１０５ｂ  他方の連結片
１１１    紐体
Ｍ１      一方の磁石
Ｍ２      他方の磁石
Ｍ３      解除用の磁石
【図１】
0005828423.tif 000002
【図２】
0005828423.tif 000003
【図３】
0005828423.tif 000004
【図４】
0005828423.tif 000005
【図５】
0005828423.tif 000006
【図６】
0005828423.tif 000007
【図７】
0005828423.tif 000008
【図８】
0005828423.tif 000009
【図９】
0005828423.tif 000010
【図１０】
0005828423.tif 000011
【図１１】
0005828423.tif 000012
【図１２】
0005828423.tif 000013